(57)【要約】【課題】部品点数を削減でき、大きさを小さくすることができるノズルを提供する。【解決手段】ノズル１は、内部に第１流路１１を有し、一端側の内面にボール受部１２が設けられた軸受部材１０と、ボール受部１２に対して回動可能に配設され、内部に第１流路１１と連通する第２流路２１が設けられたボール部３０と、第２流路２１に対応して軸受部材１０の反対側に設けられ、内部に第２流路２１を狭窄して流体を噴射する第３流路３１が設けられた噴射部３０と、噴射部３０を露出させてボール部３０の一部を覆うように軸受部材１０に外嵌された押え部材４０とを備えている。ボール部３０と噴射部４０とは一体的に形成されている。【選択図】図１
0003176828.tif 000002
【実用新案登録請求の範囲】
【請求項１】
内部に第１流路を有し、第１流路の両端は解放され、一端側の内面にはボール受部が設けられた軸受部材と、
この軸受部材のボール受部に対して回動可能に配設され、内部には前記第１流路と連通するように前記軸受部材の側から反対側に向かって第２流路が設けられたボール部と、
このボール部の前記第２流路に対応して前記軸受部材の反対側に設けられ、内部には前記第２流路に連通され、前記第２流路を狭窄して流体を噴射する第３流路が設けられた噴射部と、
この噴射部を露出させて前記軸受部材の反対側から前記ボール部の一部を覆うように前記軸受部材に外嵌された押え部材とを備え、
前記ボール部と前記噴射部とは一体的に形成された
ことを特徴とするノズル。
【請求項２】
前記軸受部材、前記ボール部、前記噴射部、及び、前記押え部材は、それぞれ真鍮により構成されたことを特徴とする請求項１記載のノズル。
【請求項３】
船舶に用いることを特徴とする請求項１又は請求項２記載のノズル。
【考案の詳細な説明】
【技術分野】
【０００１】
本考案は、噴射方向を変更することができるノズルに関する。
【背景技術】
【０００２】
船舶の操舵室等の窓は海水の塩分により汚れてしまうため、窓の近傍にノズルを設け、定期的に水等を窓に向かって噴射し、洗い流している。従来は、例えば、図２に示したようなノズル１００を用いていた。このノズル１００は、例えば、ボール部１０１を支持部１０２により回動可能に支持し、ボール部１０１にノズルチップ１０３を螺合させたものである。このノズル１００では、ボール部１０１を回動させることによりノズルチップ１０３の向きを変えることができるので、設置時にノズルチップ１０３の向きを希望の位置に調節することが可能である。このようなノズル１００は、他の分野においても用いられている（例えば、特許文献１参照）。
【先行技術文献】
【非特許文献】
【０００３】
【特許文献１】特開２００４−２３７２０６号公報
【考案の概要】
【考案が解決しようとする課題】
【０００４】
しかしながら、従来のノズル１００は、ボール部１０１にノズルチップ１０３を螺合させていたので、部品点数が増えてしまい、部品管理が面倒であり、また、コストも高くなってしまうという問題があった。更に、螺合させるためにノズルチップ１０３の部分の大きさが大きくなり、ボール部から大きく突出してしまうので、設置場所によっては取り付けにくい場合があり、また、コストも高くなってしまうという問題もあった。
【０００５】
本考案は、このような問題に基づき開発されたものであり、部品点数を削減でき、大きさを小さくすることができるノズルを提供することにある。
【課題を解決するための手段】
【０００６】
本考案に係るノズルは、内部に第１流路を有し、両端が解放され、一端側の内面にはボール受部が設けられた軸受部材と、この軸受部材のボール受部に対して回動可能に配設され、内部には第１流路と連通するように軸受部材の側から反対側に向かって第２流路が設けられたボール部と、このボール部の第２流路に対応して軸受部材の反対側に設けられ、内部には第２流路に連通され、第２流路を狭窄して流体を噴射する第３流路が設けられた噴射部と、この噴射部を露出させて軸受部材の反対側からボール部の一部を覆うように軸受部材に外嵌された押え部材とを備え、ボール部と噴射部とは一体的に形成されたものである。
【考案の効果】
【０００７】
本考案のノズルによれば、ボール部と噴射部とを一体的に形成するようにしたので、部品点数を削減することができ、部品管理を容易とすることができると共に、コストを削減することができる。また、噴射部をボール部に対して接合するための部分が不要であり、噴射部の突出量を小さくすることができると共に、コストを削減することができる。
【０００８】
また、真鍮により構成するようにすれば、海水による腐食を抑制することができると共に、容易に加工することができる。よって、船舶に好ましく用いることができる。
【図面の簡単な説明】
【０００９】
【図１】本考案の一実施の形態に係るノズルの構成を表す図である。
【図２】従来のノズルの構成を表す図である。
【考案を実施するための形態】
【００１０】
以下、本考案の実施の形態について、図面を参照して詳細に説明する。
【００１１】
図１は、本考案の一実施の形態に係るノズルの構成を表すものであり、図１（Ａ）は噴射側から見た外観を表し、図１（Ｂ）は側部から見た外観を表し、図１（Ｃ）は断面構造を表している。このノズル１は、例えば、船舶に好ましく用いられるものであり、軸受部材１０と、ボール部２０と、噴射部３０と、押え部材４０とを備えている。これら軸受部材１０、ボール部２０、噴射部３０、及び、押え部材４０は、それぞれ真鍮により構成されていることが好ましい。
【００１２】
軸受部材１０は、内部に第１流路１１を有し、第１流路１１の両端は解放されている。第１流路１１の断面形状は、例えば、円形である。軸受部材１０の一端側の内面、すなわち第１流路１１の一端側の内面には、ボール受部１２が設けられている。ボール受部１２は、例えば、他端側から一端側に向かって直径が大きくなるように傾斜された傾斜部１２Ａと、この傾斜部１２Ａの一端側において同一の直径で伸長された伸長部１２Ｂとを有している。伸長部１２Ｂの直径は、傾斜部１２Ａの最大直径と同一か、又は、最大直径よりも大きく形成されている。
【００１３】
軸受部材１０の一端側の外周面には、例えば、押え部材４０を螺合させるためのねじ部１３が設けられており、ねじ部１３の他端側には、例えば、押え部材４０を螺合させる際に、軸受部材１０を保持する保持部１４が突出して設けられている。保持部１４は、例えば、周方向において均等に配置された６面を有していることが好ましい。軸受部材１０の他端側は、例えば、図示しない配管を接続するための接続部１５が形成されており、外周面には、例えば、ねじが形成されている。
【００１４】
ボール部２０は、例えば、軸受部材１０のボール受部１２に対して回動可能に配設されており、外面が球状に形成されている。ホール部２０の内部には、例えば、第１流路１１と連通するように、軸受部材１０の側から反対側に向かって両端が開放された第２流路２１が設けられている。ボール部２０とボール受部１２とは例えば線接触しており、第１流路１１と第２流路２１とは接合されている。第２流路２１の断面形状は、例えば、円形である。
【００１５】
噴射部３０は、ボール部２０の第２流路２１に対応して軸受部材１０の反対側に設けられている。噴射部３０は、ボール部２０と一体的に形成されており、ボール部２０と共に１部品を構成している。噴射部３０の内部には、例えば、両端が開放され、第２流路２１側の端部が第２流路２１と連通された第３流路３１が設けられている。第３流路３１の断面形状は、例えば、円形である。第３流路３１の直径は、第２流路２１を狭窄して流体を噴射することができるように、第２流路２１よりも小さく形成されている。
【００１６】
噴射部３０のボール部２０とは反対側の端面には、例えば、Ｖ状の溝３２が一方向に伸長して設けられており、第３流路３１の端面における形状は、例えば、互いに反対側に向かって突出するように湾曲する円弧を両端部でつなぎ合わせた形を有している。これにより、軸受部材１０に供給された流体は、噴射部３０から溝３２の伸長方向に広がって扇状に噴射されるようになっている。
【００１７】
押え部材４０は、例えば、円環状であり、噴射部３０を露出させて軸受部材１０の反対側からボール部３０の一部を覆うように設けられ、軸受部材１０に外嵌されている。押え部材４０の軸受部材１０側の内周面には、例えば、軸受部材１０のねじ部１３に螺合されるねじ部４１が設けられている。押え部材４０の外周面には、例えば、押え部材４０を螺合させる際に把持する把持部４２が設けられている。把持部４２は、例えば、周方向において均等に配置された６面を有していることが好ましい。
【００１８】
このノズル１は、例えば、次のようにして配設する。まず、図示しない配管に軸受部材１０の接続部を接続し、軸受部材１０のボール受部１２にボール部２０を配設する。次いで、ボール部２０の一部を押え部材４０で覆い、押え部材４０を軸受部材１０に外嵌する前に、ボール部２０を回動させて、噴射部３０の位置を決定する。噴射部３０の位置を希望の位置にしたのち、例えば、押え部材４０のねじ部１３を軸受部材１０のねじ部１３に螺合させることにより外嵌する。これにより、ボール部２０及び噴射部４０が固定される。
【００１９】
このように、本実施の形態に係るノズル１によれば、ボール部３０と噴射部４０とを一体的に形成するようにしたので、部品点数を削減することができ、部品管理を容易とすることができると共に、コストを削減することができる。また、噴射部４０をボール部３０に対して接合するための部分が不要であり、噴射部４０の突出量を小さくすることができると共に、コストを削減することができる。
【００２０】
また、真鍮により構成するようにすれば、海水による腐食を抑制することができると共に、容易に加工することができる。よって、船舶に好ましく用いることができる。
【００２１】
以上、実施の形態を挙げて本考案を説明したが、本考案は上記実施の形態に限定されるものではなく、種々変形可能である。例えば、上記実施の形態では、各構成要素の構造について具体的に説明したが、他の構造を有していてもよい。
【産業上の利用可能性】
【００２２】
ノズルに用いることができる。
【符号の説明】
【００２３】
１…ノズル、１０…軸受部材、１１…第１流路、１２…ボール受部、１２Ａ…傾斜部、１２Ｂ…伸長部、１３…ねじ部、１４…保持部、１５…接続部、２０…ボール部、２１…第２流路、３０…噴射部、３１…第３流路、３２…溝、４０…押え部材、４１…ねじ部
【図１】
0003176828.tif 000003
【図２】
0003176828.tif 000004